【事件の表示】
　特願２０００−　３１５５８「ＰＣカード・スロットおよびそれを用いた情報処理機器」拒絶査定不服審判事件〔平成１３年　８月１７日出願公開、特開２００１−２２２３８３〕について、次のとおり審決する。
【結　論】
　本件審判の請求は、成り立たない。
【理　由】
１．手続の経緯
　本願は、平成１２年２月９日の出願であって、平成１５年９月１２日付で拒絶査定がなされ、これに対し、同年１０月２４日に拒絶査定に対する審判請求がなされるとともに、同年１１月１０日付で手続補正がなされたものである。
　
２．平成１５年１１月１０日付の手続補正についての補正却下の決定
［補正却下の決定の結論］
　　平成１５年１１月１０日付の手続補正を却下する。
［理由］
　本件補正により、特許請求の範囲の請求項１は、
「ＰＣカード・インタフェースと、このＰＣカード・インタフェースに連結されたＰＣカードの動作可能状態に応じて点灯または消灯する発光部とを備え、この発光部は、前記ＰＣカード・インタフェースから前記ＰＣカードへ出力されるＰＣカード電源制御信号に基づき点灯または消灯することを特徴とするＰＣカード・スロット。」と補正された。
　上記補正は、請求項１に記載した発明を特定するために必要な事項である「ＰＣカードの動作状態に応じて点灯または消灯する発光部」について「ＰＣカードの動作可能状態に応じて点灯または消灯する発光部」と補正するものである。
　しかしながら、ＰＣカードの動作「可能」状態については、願書に最初に添付した明細書又は図面に記載された事項ではなく、この補正は、明細書又は図面について補正をするときは、願書に最初に添付した明細書又は図面に記載した事項の範囲内においてしなければならないとする、特許法第１７条の２第３項の規定に違反してなされた補正である。
　したがって、この補正は、特許法第１５９条第１項で準用する特許法第５３条第１項の規定により却下されるべきものである。
　
３．本願発明について
　平成１５年１１月１０日付の手続補正は上記のとおり却下されたので、本願の請求項１に係る発明（以下、同項記載の発明を「本願発明」という。）は、平成１５年８月１８日付手続補正書の特許請求の範囲の請求項１に記載された事項により特定される、以下のとおりのものである。
「ＰＣカード・インタフェースと、このＰＣカード・インタフェースに連結されたＰＣカードの動作状態に応じて点灯または消灯する発光部とを備え、この発光部は、前記ＰＣカード・インタフェースから前記ＰＣカードへ出力されるＰＣカード電源制御信号に基づき点灯または消灯することを特徴とするＰＣカード・スロット。」
　
（１）引用例
　原査定の拒絶の理由に引用された引用例、および、その記載事項は、以下のとおりである。
　引用例：実願平３−７３５４３号（実開平５−２５５５３号公報参照）のＣＤ−ＲＯＭ
　記載事項ａ：ＩＣカードの接続部を有するポータブルコンピュータに於いて、ＩＣカードをリード／ライトするカードイネーブル信号を生成するアクセス制御部と、このアクセス制御部のカードイネーブル信号に従いアクセス表示信号を生成する回路と、この回路で生成されたアクセス表示信号により点灯制御される表示器とを具備してなることを特徴とするポータブルコンピュータ。（【実用新案登録請求の範囲】、【請求項１】の記載。）
　記載事項ｂ：図において、符号１は内蔵バッテリィをもつＩＣカード、符号２はＩＣカード１をパーソナルコンピュータ本体に接続するためのコネクタ、符号３はＩＣカード１をアクセスするための信号（ＣＡＲＤＥＮ) を生成するアクセス制御回路であり、ここでは上記信号（ＣＡＲＤＥＮ) をカードイネーブル信号と呼ぶ。（明細書、第７頁、段落【００１８】及び【図１】の記載。）
　
（２）対比・判断
　前記引用例の記載事項ａと本願発明とを対比すると、引用例の記載事項ａにおける「ＩＣカード」と「表示器」とは、それぞれ本願発明における「ＰＣカード」と「発光部」に相当する。
　また、引用例の記載事項ａの「ＩＣカードの接続部を有する」という記載と引用例の記載事項ｂの「ＩＣカード１をパーソナルコンピュータ本体に接続するためのコネクタ」という記載からみて、本願発明における「ＰＣカード・インタフェース」及び「ＰＣカード・スロット」も引用例発明は、備えている。
　引用例の記載事項ａの「ＩＣカードをリード／ライトするカードイネーブル信号を生成するアクセス制御部と、このアクセス制御部のカードイネーブル信号に従いアクセス表示信号を生成する回路と、この回路で生成されたアクセス表示信号により点灯制御される表示器」なる記載からみて、引用例発明において「表示器」は、「ＩＣカードをリード／ライトするカードイネーブル信号」に基づいて点灯制御されるのであるから、本願発明における「ＰＣカードの動作状態に応じて点灯または消灯する発光部」は、引用例発明においても備えた事項である。
　また、引用例の記載事項ｂによれば、「カードイネーブル信号」は、コネクタを介してＩＣカード１にアクセスしており、引用例の記載事項ａによれば、当該「カードイネーブル信号」に従いアクセス表示信号を生成する回路と、この回路で生成されたアクセス表示信号により点灯制御される表示器とを備えていることから、引用例発明においては、「ＰＣカード・インタフェースからＰＣカードへ出力されるＰＣカード制御信号に基づき点灯または消灯する発光部」も備えている。
　したがって、両者は、「ＰＣカード・インタフェースと、このＰＣカード・インタフェースに連結されたＰＣカードの動作状態に応じて点灯または消灯する発光部とを備え、この発光部は、前記ＰＣカード・インタフェースから前記ＰＣカードへ出力されるＰＣカード制御信号に基づき点灯または消灯するＰＣカード・スロット。」である点で一致し、発光部を点灯または消灯する制御信号として、本願発明においては、「ＰＣカード電源制御信号」を用いているのに対し、引用例発明においては、「カードイネーブル信号に従い生成されたアクセス表示信号」を用いている点で相違する。
　上記相違点について検討する。
　原査定の拒絶の理由において周知技術として引用した実願昭６１−１４９９１５号（実開昭６３−５６４７２号公報参照）のマイクロフィルムには、以下の点が記載されている。
（１）ＣＰＵからのアドレス端子、データ端子および接地端子、電源端子を具えたコネクタにＩＣメモリカードを挿脱する装置において、前記ＩＣメモリカードへの書き込みまたは読み出し命令に応じて前記ＣＰＵからの電源オン・オフ信号が印加される手段と、前記手段の出力信号に応じて直流電圧源をスイツチングするスイツチ手段とより成り、前記スイツチ手段の出力回路に前記コネクタの電源端子を接続したことを特徴とするＩＣメモリカードの制御装置。
（２）前記スイツチ手段は前記出力信号により制御される表示装置を含む実用新案登録請求の範囲第１項記載のＩＣメモリカードの制御装置。（【実用新案登録請求の範囲】（１）及び（２）の記載。）
　前記周知技術には、「ＩＣメモリカードへの書き込みまたは読み出し命令に応じてＣＰＵからの電源オン・オフ信号が印加される手段とその出力信号により制御される表示装置」が記載されており、発光部（周知技術における「表示装置」に相当する。）を点灯または消灯する制御信号として、「ＰＣカード電源制御信号（周知技術における「電源オン・オフ信号」に相当する。）」を用いることは、本願出願前周知技術である。
　したがって、引用例発明の「発光部を点灯または消灯する制御信号」として前記周知技術の「ＰＣカード電源制御信号」を採用して、本願発明のように構成することは、当業者が格別の創意を要することなくなし得たものである。
　また、本願発明のように構成することによる作用効果も、引用例発明、周知技術からみて、格別のものでもない。
　以上のとおり、本願発明は、引用例発明及び周知技術に基づいて、当業者が容易に発明をすることができたものである
　
（３）むすび
　以上のとおり、本願発明は、引用例発明及び周知技術に基づいて、当業者が容易に発明をすることができたものであるから、特許法第２９条第２項の規定により特許を受けることができない。
　よって、結論のとおり審決する。